(57)【特許請求の範囲】
【請求項１】
矩形状の開放頂面を有するコンテナボックスであって前記開放頂面に相対する底板と、前記開放頂面を規定する一対の互いに相対する第１の側板及び一対の互いに相対する第２の側板とを備え、第１の各側板及び第２の各側板のそれぞれが、その上面の両端部にそれぞれ設けられた二つの突起を有するコンテナボックスに適用される補助具であって、
互いに相対する矩形状の頂面部及び底面部と、前記頂面部及び底面部の周囲を取り巻く側面部と、前記底面部に開放しかつ前記側面部に沿って伸びる周溝とを有する板状体からなり、
前記板状体の周溝は、前記板状体の底面部が前記コンテナボックスの開放頂面と相対する位置にあるとき、前記コンテナボックスの第１の両側板の突起及び第２の両側板の突起を受け入れ可能であり、
前記板状体は、その頂面部に開放する、仕切板を支持するための複数の溝と、各溝内にあって該溝を規定する一対の両側壁から互いに他の一方に向けて突出する少なくとも一対の突起と、前記板状体の側面部から前記板状体の頂面部と反対の側へ伸び、前記板状体の側面部の延長をなすスカート部とを有し、
前記スカート部を備える２つの板状体に関して、一方の板状体の頂面部が他方の板状体の底面部と部分的に相対する位置にあるとき、前記他方の板状体のスカート部が前記一方の板状体の溝内の両突起の一方に載置可能である、補助具。
【請求項２】
前記板状体は、さらに、その頂面部とその側面部とに連なりかつ該側面部に沿って伸びる肩部を備え、
前記スカート部及び肩部を備える２つの板状体に関して、一方の板状体の頂面部が他方の板状体の底面部と全体的に相対する位置にあるとき、前記他方の板状体のスカート部が前記一方の板状体の肩部に載置可能である、請求項１に記載の補助具。
【請求項３】
前記コンテナボックスの底板はその開放頂面と反対の側に向けて開放する複数の窪みを有し、
前記板状体はその頂面部からその底面部と反対の側に向けて突出する複数の突起を有し、
前記板状体の各突起は、該板状体の頂面部が前記コンテナボックスの底板と相対する位置にあるとき、前記コンテナボックスの底板の各窪みに係合可能である、請求項１に記載の補助具。
【請求項４】
前記板状体のスカート部は、該板状体の底面部が前記コンテナボックスの底板と相対する位置にあるとき、前記スカート部が規定する空間内に前記コンテナボックスを受け入れ、該コンテナボックスが前記板状体の底面部上に着座することを許す、請求項１に記載の補助具。
【請求項５】
前記板状体は、その頂面部に取り付けられ、その底面部と反対の側に伸びる複数のキャスタを有する、請求項４に記載の補助具。
【請求項６】
矩形状の開放頂面を有するコンテナボックスであって前記開放頂面に相対する底板と、前記開放頂面を規定する一対の互いに相対する第１の側板及び一対の互いに相対する第２の側板とを備え、第１の各側板及び第２の各側板のそれぞれが、その上面の両端部にそれぞれ設けられた二つの突起を有するコンテナボックスに適用される補助具であって、
互いに相対する矩形状の頂面部及び底面部と、前記頂面部及び底面部の周囲を取り巻く側面部と、前記底面部に開放しかつ前記側面部に沿って伸びる周溝とを有する板状体からなり、
前記板状体の周溝は、前記板状体の底面部が前記コンテナボックスの開放頂面と相対する位置にあるとき、前記コンテナボックスの第１の両側板の突起及び第２の両側板の突起を受け入れ可能であり、
前記コンテナボックスの底板は互いに相対する一対の立ち上がり縁部であって突起が設けられた端部上面をそれぞれ有する一対の立ち上がり縁部を備え、第１の両側板と第２の両側板とはそれぞれ両立ち上がり縁部相互間と前記両立ち上がり縁部上とにあって、前記第１の各側板は前記底板上に折り畳み可能であるように両立ち上がり縁部に取り付けられ、また、前記第２の各側板は折り畳まれた前記第１の両側板上に折り畳み可能であるように各立ち上がり縁部に取り付けられており、
前記板状体の周溝は、前記コンテナボックスがその第１の両側板が折り畳まれかつその第２の両側板の一方のみが折り畳まれた状態にあるとき、前記コンテナボックスの前記折り畳まれた第２の側板の側に位置する一方の立ち上がり縁部の各突起と、非折り畳み状態にある他方の第２の側板の各突起とを受け入れ可能である、補助具。
【発明の詳細な説明】
【技術分野】
【０００１】
本発明は、商品の搬送容器であるコンテナボックスの商品陳列手段としての利用のためにこれに適用される補助具に関する。
【背景技術】
【０００２】
スーパーマーケットのような店舗への商品の搬送のために、矩形状の開放頂面を有するコンテナボックスが使用されている。コンテナボックスには、商品搬送後におけるコンテナボックスの回収の便宜のために折り畳み可能とされているものと、されていないものとがある。いずれのコンテナボックスも、前記開放頂面に相対する底板と、前記開放頂面を規定する一対の互いに相対する第１の側板及び一対の互いに相対する第２の側板とを有する。折り畳み可能とされたいわゆる折り畳みコンテナボックスにおいては、その第１の両側板及び第２の両側板が、それぞれ、前記底板上及び折り畳まれた第１の両側板上に折り畳み可能とされている。
【０００３】
このようなコンテナボックスに収納され、店舗に搬入された商品は、前記コンテナボックス内から取り出され、店舗内に設置された商品陳列手段（例えば後記特許文献１に記載の商品陳列用ボード）上に陳列される。
【０００４】
ところで、前記コンテナボックスが商品陳列手段として用いられることがある。例えば、商品が前記コンテナボックスに収納された状態で店舗に陳列され、あるいは、上下を逆にした前記コンテナボックスの底板上に陳列される。
【先行技術文献】
【特許文献】
【０００５】
【特許文献１】特開２００６−１４９５９７号公報
【発明の開示】
【発明が解決しようとする課題】
【０００６】
本発明は、このような商品陳列の実情に鑑み、前記コンテナボックスの商品陳列手段としてのさらなる利用のためにこれに適用される補助具を提供する。
【課題を解決するための手段】
【０００７】
本発明は、矩形状の開放頂面を有するコンテナボックスに適用される補助具に係る。適用対象である前記コンテナボックスは、前記開放頂面に相対する底板と、前記開放頂面を規定する一対の互いに相対する第１の側板及び一対の互いに相対する第２の側板とを備え、第１の各側板及び第２の各側板のそれぞれが、その上面の両端部にそれぞれ設けられた二つの突起を有する。本発明に係る前記補助具は板状体からなり、該板状体は互いに相対する矩形状の頂面部及び底面部と、前記頂面部及び底面部の周囲を取り巻く側面部と、前記底面部に開放しかつ前記側面部に沿って伸びる周溝とを有する。前記板状体の周溝は、前記板状体の底面部が前記コンテナボックスの開放頂面と相対する位置にあるとき、前記コンテナボックスの突起を受け入れ可能である。前記補助具は、前記第１及び第２の側板について折り畳みが可能とされているコンテナボックスと、折り畳みが可能とされていないコンテナボックスとのいずれについても適用可能である。
【０００８】
本発明によれば、前記補助具を構成する板状体の周溝が前記コンテナボックスの第１の各側板及び第２の各側板の複数の突起を受け入れるとき、前記板状体は前記コンテナボックスの開放頂面を覆いまた水平方向へのずれが生じない状態で前記コンテナボックス上に載置される。これにより前記補助具が前記コンテナボックスと組み合わされ、前記補助具の頂面部が商品陳列面を規定する。
【０００９】
前記板状体は、その頂面部に開放する、仕切板を支持するための複数の溝を有する。前記複数の溝に支持された複数の仕切板により、前記商品陳列面上に閉じた区画又は開いた区画を形成することができる。
【００１０】
前記板状体は、さらに、各溝内にあって該溝を規定する一対の両側壁から互いに他の一方に向けて突出する少なくとも一対の突起を有する。前記溝の両突起はこれらの間に挿入される前記仕切板を挟持し、これを安定的に支持する。
【００１１】
また、前記板状体は、その側面部からその頂面部と反対の側へ伸び、その側面部の延長をなすスカート部を備える。ここにおいて、前記スカート部を備える２つの板状体に関し、一方の板状体の頂面部が他方の板状体の底面部と部分的に相対する位置にあるとき、他方の板状体のスカート部が一方の板状体の溝内の両突起の一方に載置可能である、これによれば、複数の補助具を互いに部分的に重なり合う態様で積み重ねることができる。
【００１２】
また、前記板状体は、前記スカート部に加えて、さらに、その頂面部とその側面部とに連なりかつ該側面部に沿って伸びる肩部とを備えるものとすることができる。ここにおいて、前記スカート部及び肩部を備える２つの板状体に関し、一方の板状体の頂面部が他方の板状体の底面部と全体的に相対する位置にあるとき、他方の板状体のスカート部が一方の板状体の肩部に載置可能である、複数の補助具を互いに全面的に重なり合う態様で積み重ねること、換言するとスタッキング状態とすることができる。
【００１３】
また、前記コンテナボックスの底板が互いに相対する一対の立ち上がり縁部であって突起が設けられた端部上面をそれぞれ有する一対の立ち上がり縁部を備え、第１の両側板と第２の両側板とがそれぞれ両立ち上がり縁部相互間と前記両立ち上がり縁部上とにあって、前記第１の各側板が前記底板上に折り畳み可能であるように両立ち上がり縁部に取り付けられ、また、前記第２の各側板が折り畳まれた前記第１の両側板上に折り畳み可能であるように各立ち上がり縁部に取り付けられている場合、前記板状体の周溝は、前記コンテナボックスがその第１の両側板が折り畳まれかつその第２の両側板の一方のみが折り畳まれた状態にあるとき、前記コンテナボックスの前記折り畳まれた第２の側板の側に位置する一方の立ち上がり縁部の各突起と、非折り畳み状態にある他方の第２の側板の各突起とを受け入れ可能である。これによれば、前記補助具は、その周溝において、前記コンテナボックスの第２の側板の突起と前記立ち上がり縁部の突起とに引き掛けられ、傾斜した状態で前記コンテナボックスと組み合わされる。この例において、前記補助具の頂面部が傾斜した商品陳列面を規定する。
【００１４】
また、前記コンテナボックスの底板がその開放頂面と反対の側に向けて開放する複数の窪みを有し、また、前記板状体がその頂面部からその底面部と反対の側に向けて突出する複数の突起を有するものとすることができる。ここにおいて、前記板状体の各突起は、前記板状体の頂面部が前記コンテナボックスの底板と相対する位置にあるとき、前記コンテナボックスの底板の各窪みに係合可能である。この例によれば、前記板状体がその頂面部において前記コンテナボックスの底板と対向するように前記コンテナボックスと組み合わされ、前記コンテナボックスを水平方向へのずれが生じないように支持する。この例では、前記コンテナボックスが有する商品収容空間が商品の陳列空間を規定する。
【００１５】
また、前記板状体のスカート部が、該板状体の底面部が前記コンテナボックスの底板と相対する位置にあるとき、前記スカート部が規定する空間内に前記コンテナボックスを受け入れ、該コンテナボックスが前記板状体の底面部上に着座することを許すものとすることができる。この例によれば、前記した例とは逆に、前記補助具がその板状体の底面部において前記コンテナボックスの底板と対向するように前記コンテナボックスと組み合わされ、前記板状体のスカート部が前記底面部上の前記コンテナボックスの水平移動を阻止する。この例では、前記コンテナボックスが有する商品収容空間が商品の陳列空間を規定する。
【００１６】
この例においては、さらに、前記板状体が、その頂面部に取り付けられ、その底面部と反対の側に伸びる複数のキャスタを有するものとすることができる。これによれば、前記補助具上にあって陳列空間を規定する前記コンテナボックスを、店舗内外において移動可能とすることができる。
【図面の簡単な説明】
【００１７】
【図１】コンテナボックスに補助具が載置される直前の状態を示す斜視図である。
【図２】コンテナボックス及びこの上に載置された補助具の縦断面図である。
【図３】補助具の平面図である。
【図４】補助具の底面図である。
【図５】コンテナボックスとこの上に載置された、複数の仕切板が取り付けられた補助具との斜視図である。
【図６】仕切板が取り付けられた補助具の部分縦断面図である。
【図７】複数段に積み重ねられた複数のコンテナボックス上に複数の補助具が全体的にまた部分的に積み重ねられた状態を示す斜視図である。
【図８】複数の補助具が部分的に重なり合うように積み重ねられた状態を説明する斜視図である。
【図９】複数の補助具が全面的に重なり合うように積み重ねられた状態を示す斜視図である。
【図１０】一つの第２の側板を残して他の第１及び第２の側板が折り畳まれた状態にあるコンテナボックスに補助具が斜めに配置される直前の状態を示す斜視図である。
【図１１】一つの第２の側板を残して他の第１及び第２の側板が折り畳まれた状態にあるコンテナボックスに補助具が斜めに配置された状態を示す斜視図である。
【図１２】コンテナボックスが補助具の頂面部上に載置される直前の状態を示す斜視図である。
【図１３】コンテナボックスが補助具の底面部上に載置される直前の状態を示す斜視図である。
【図１４】キャスタが取り付けられた補助具の斜視図である。
【発明を実施するための形態】
【００１８】
図１を参照すると、商品の運搬に用いられるコンテナボックス１０とこれに適用される補助具１２とが示されている。コンテナボックス１０と補助具１２とは互いに組み合わされて商品陳列手段とされ、スーパーマーケットのような店舗内に配置される。前記商品陳列手段において、補助具１２はコンテナボックス１０に支持され、商品陳列面を規定し（図１、図７、図１１等参照）、あるいは、コンテナボックス１０が補助具１２に支持され、商品陳列空間を規定する（図１２、図１３等参照）。
【００１９】
コンテナボックス１０は矩形の平面形状を有する開放頂面すなわち矩形状の開放頂面１４と、開放頂面１４に相対する矩形状の底板１６と、開放頂面１４を規定する一対の互いに相対する第１の側板１８及び一対の互いに相対する第２の側板２０とを備える。第１の側板１８及び第２の側板２０は、それぞれ、全体に矩形状を呈し、底板１６の外形を規定する前記矩形の短辺上及び長辺上に位置する。
【００２０】
コンテナボックス１０の開放頂面１４は、コンテナボックス１０が前記商品陳列空間を規定するとき、商品の出し入れ口をなす。第１の側板１８はその上面２４の両端部にそれぞれ設けられた２つの突起２４ａを有し、また、第２の側板２０はその上面２６の両端部にそれぞれ設けられた２つの突起２６ａを有する。図示の例では、第1及び第２の両突起２４ａ、２６ａが、これらを一組として、コンテナボックス１０の開放頂面１４の各コーナ部に位置する。
【００２１】
図示のコンテナボックス１０は折り畳みコンテナボックスからなり、第１の両側板１８はそれぞれ底板１６に該底板上に折り畳み可能であるように取り付けられている。また、第２の両側板２０は、それぞれ、折り畳まれた（より詳細には、折り畳まれた状態にある）第1の両側板１８上に折り畳み可能であるように底板１６に取り付けられている。但し、補助具１２は、第１の両側板１８及び第２の両側板２０が共に折り畳み可能とされていないコンテナボックス（図示せず）に適用することが可能である。
【００２２】
コンテナボックス１０において、底板１６は互いに相対する一対の細長い立ち上がり縁部２８を有する。両立ち上がり縁部２８は、前記矩形の四辺の内の２つの長辺に沿って伸びている。各立ち上がり縁部２８もまたその上面の両端部にそれぞれ一対の突起２８ａを有する。
【００２３】
第１の各側板１８は、両立ち上がり縁部２８間に位置し、また、第２の各側板２０は各立ち上がり縁部２８上に位置する。ここにおいて、第１の各側板１８は底板１６の両立ち上がり縁部２８に２つの軸２９（図２）を介して該軸の周りに回転可能に取り付けられており、第１の各側板１８はその回転動作を通して底板１６上に折り畳まれる。また、各第２の側板２０は各立ち上がり縁部２８に２つの軸（図示せず）を介して各立ち上がり縁部２８の周囲を回転可能であるように取り付けられており、第２の各側板２０はその回転動作を通して、底板１６上に折り畳まれた状態にある第１の両側板１８上に折り畳まれる（図１０参照）。符号３０は、底板１６、第１の側板１２及び第２の側板１４にそれぞれ設けられた複数の穴を示す。
【００２４】
各コンテナボックス１０は、また、２つのコンテナボックス１０を上下に積み重ねること（スタッキング）を可能とすべく、上方に位置するコンテナボックス１０が下方に位置するコナブロック１０の各組の突起２４ａ、２６ａを受け入れ、これらと係合可能である窪み２８ｂを有する。窪み２８ｂは、コンテナボックス１０の底板１６の外形を規定する矩形の四隅のそれぞれに位置する立ち上がり縁部２８の下面の各端部に設けられている。
【００２５】
図１〜図４に示すように、補助具１２は板状体３２を備える。
【００２６】
板状体３２は、互いに相対する矩形状の頂面部３４及び底面部３６（図２）と、頂面部３４及び底面部３６の周囲を取り巻く側面３８とを有する。板状体３２は、また、その底面部３６に開放しかつその側面３８に沿って伸びる矩形状の周溝４０を有する。板状体３２には、その底面部３６上に、格子状の補強リブ３９（図４参照）が設けられている。
【００２７】
板状体３２の周溝４０は、板状体３２がその底面部３６においてコンテナボックス１０の開放頂面１４と相対する位置にあるとき、すなわち図１で見て板状体３２の下方にコンテナボックス１０が位置するとき、コンテナボックス１０の第１及び第２の両側板１８、２０の突起２４ａ、２６ａを受け入れることができる。より詳細には、周溝４０は、その直角に折れ曲がる各コーナ部において、コンテナボックス１０の各組の突起２４ａ、２６ａをその内部に受け入れ可能である幅寸法及び深さ寸法を有する（図４参照）。
【００２８】
板状体３２は、その周溝４０においてコンテナボックス１０の各突起２４ａ、２６ａを受け入れ、その底面部３６においてコンテナボックス１０の開放頂面１４を覆い、かつ、その周面部３８においてコンテナボックス１０の第１及び第２の両側板１８、２０を部分的に取り巻く状態で、コンテナボックス１０上に載置することができる。板状体３２がコンテナボックス１０上に載置されるとき、図示の例においては、板状体３２の周溝４０を規定する底壁、より詳細には該底壁に形成された複数の補強用リブ４２（図２、図４参照）においてコンテナボックス１０に突き当たる。コンテナボックス１０上に載置された板状体３２は、周溝４０を規定する周面部３８により、コンテナボックス１０に対する水平方向への移動を阻止される。
【００２９】
コンテナボックス１０上への板状体３２の載置により、コンテナボックス１０に補助具１２が組み合わされ、商品陳列手段を構成する。この商品陳列手段においては、コンテナボックス１０が補助具１２を支持し、補助具１２の板状体３２がその頂面部３４において商品の載置面又は商品の陳列面を規定する。
【００３０】
ところで、店舗における商品の陳列においては、商品の種類、形状、大きさ等に応じて、商品の載置面を複数の区画に仕切ることが行われる。図示の板状体３２にあっては、このような仕切りを可能とすべく、その頂面部３４上に開放し、直線的に伸びる複数の溝４６が設けられている。図示の複数の溝４６は頂面部３４の外形を規定する矩形の各辺（縁）と平行に伸び、また、互いに直交している。これによれば、各溝４６に仕切板４４を差し込むことにより、当該仕切板が板状体３２上に直立した状態に支持される（図５、図６参照）。これにより、板状体３２の頂面部３４上を、複数の仕切板４４で取り囲まれた閉区画、又は、取り囲まれていない開区画に仕切ることができる。また、例えば、頂面部３４の前記縁の近傍に仕切板４４を配置して頂面部３４上を前記開区画に仕切るときは、仕切板４４は頂面部３４上からの陳列された商品の転がり落ちを防止する転び止め板として機能する。
【００３１】
図６に示すように、仕切板４４が差し込まれる溝４６は、通常、仕切板４４の厚さ寸法の大きさよりわずかに大きい幅寸法を有するように設定され、このため、溝４６に差し込まれた仕切板４４は実際にはわずかに傾斜する。図示の例にあっては、この傾斜の度合いを低減するため、溝４６内に複数対の突起４８が設けられている。各対の突起４８は、溝４６を規定する底壁４６ａに連なる一対の側壁４６ｂから互いに他の一方に向けて突出している。各対の突起４８の相互間隔は仕切板４４の厚さ寸法の大きさよりわずかに小さく、両突起４８はこれらの間に差し込まれた仕切板４４による押圧力を受けて弾性変形し、仕切板４４を挟持する。
【００３２】
補助具１２は、その複数個をこれらが互いに部分的に重なり合うように積み重ねての、あるいは、互いに全面的に重なり合うように積み重ねての使用が可能である（図７、図８参照）。
【００３３】
図７を参照すると、店舗の床面のような平面上に複数（９つ）のコンテナボックス１０が、これらの底板１６を下にして、縦横に並べて配置され、さらにこれらのコンテナボックス１０上には同数（９つ）の他のコンテナボックス１０が載置され、さらに、これらの他のコンテナボックス１０上にさらに同数（９つ）の他のコンテナボックス１０が載置されている。
【００３４】
合わせて３段に積み重ねられた複数のコンテナボックス１０の最上段上には、同数（９つ）の補助具（単段の補助具）１２がこれらの底面部３６を下にしてそれぞれ載置され、また、この単段の補助具１２上には二段の補助具１２が前記単段の補助具１２と部分的に重なり合うように積み重ねられ、前記単段の補助具１２の板状体３２の頂面部３４が前記二段の補助具１２の板状体３２の底面部３６と部分的に相対している。
【００３５】
前記二段の補助具１２は、複数（４つ）の補助具１２の上にこれらと同数（４つ）の他の補助具１２が全面的に重なり合うように積み重ねられ、下段の補助具１２の板状体３２の頂面部３４が上段の補助具１２の板状体３２の底面部３６と全体的に相対している。この二段の補助具１２の上には、該補助具と部分的に重なり合うように、さらに他の二段の補助具１２が積み重ねられている。前記他の二段の補助具１２は２つの補助具１２を互いに全面的に重なり合うように積み重ねてなる。
【００３６】
複数の補助具１２を前記したように積み重ねて三段のコンテナボックス１０と組み合わせることにより、段状の商品陳列面を規定する、いわゆるひな壇を形成することができる。補助具１２を支持するコンテナボックス１０の段数は、前記ひな壇の高さ位置を考慮して任意に設定することができる。なお、図示の例にあっては、複数の仕切板４４が、これらが前記転び止め板として機能するように、コンテナボックス１０上に位置する前記単段の補助具１２上にその周縁に沿って配置されている。
【００３７】
上下の２つの補助具１２同士が上下に前記部分的な重なり合いをするように、各補助具１２の板状体３２は、これが上方に位置するとき、下方に位置する他の板状体３２の溝４６に受け入れられるスカート部５０を有する。スカート部５０は溝４６内の一対の突起４８の一方上に載置可能である。スカート部５０は、板状体３２の側面部３８から頂面部３４と反対の側へ伸び、側面部３８の延長をなす（図８）。
【００３８】
図８を参照すると、２つの補助具１２の板状体３２Ａ、３２Ｂ上に、２つの補助具１２の板状体３２Ｃ、３２Ｄが部分的に重なり合うように積み重ねられている。下方に位置する２つの板状体３２Ａ、３２Ｂはこれらの側面部３８及びスカート部５０において互いに当接し、また、上方に位置する２つの板状体３２Ｃ、３２Ｄはこれらの側面部３８及びスカート部５０において互いに当接している。下方の両板状体３２Ａ、３２Ｂの当接位置と、上方の両板状体３２Ｃ、３２Ｄの当接位置とが、図上、左右方向にずれており、このために、上下の２つの補助具１２同士が部分的に重なり合っている。また、互いに当接する上方の２つの板状体３２Ｃ、３２Ｄはこれらのスカート部５０において下方の板状体３２Ａの１つの溝４６内の一対の突起４８上に載置されている。
【００３９】
また、上下の２つの補助具１２同士が前記部分的な重なり合いをするように、各補助具１２の板状体３２の複数の溝（互いに平行な複数の溝）４６の相互間隔が所定の大きさに定められている。図７に示す例にあっては、上方に位置する１つの補助具１２が、下方に位置する４つの補助具１２上に部分的に重なり合うことが可能であるように、各補助具１２の板状体３２の複数の溝（互いに平行な複数の溝）４６の相互間隔が所定の大きさに定められている。
【００４０】
図９に示すように、上下の２つの補助具１２同士が前記全面的な重なり合い（スタッキング）をするように、各板状体３２は、スカート部５０に加えて、その頂面部３４とその側面部３８とに連なりかつ側面部３８に沿って矩形状に伸びる肩部５２を備える。これによれば、一の板状体３２が他の板状体３２上に置かれるとき、前記一の板状体のスカート部５０が、前記他の板状体３２の肩部５２に載置可能である。
【００４１】
図１０に示すように、コンテナボックス１０を、その第１の両側板１８が共に底板１６上に折り畳まれかつ第２の両側板２０の一方（便宜的に符号２０Ａを付する。）のみが折り畳まれた状態におき、この状態に置かれたコンテナボックス１０に補助具１２を組み合わせて商品陳列手段とすることができる（図１１）。このために、板状体３２の周溝４０が、折り畳まれた一方の第２の側板２０Ａの側に位置する一方の立ち上がり縁部（便宜的に符号２８Ａを付する。）の突起２８ａと、非折り畳み状態にある他方の第２の側板（便宜的に符号２０Ｂを付す。）の突起２６ａとを受け入れ可能とされている。
【００４２】
これによれば、板状体３２を、その周溝４０において、一方の立ち上がり縁部２８Ａの両突起２８ａと他方の第２の側板２０Ｂの両突起２６ａとに引掛けることができ、これにより、コンテナボックス１０に支持されその低位にある突起２８ａからその高位にある突起２６ａに向けて上方へ傾斜して伸びる板状体３２の頂面部３４が規定する傾斜面からなる商品陳列面が形成される（図１１）。
【００４３】
次に、図１２を参照すると、前記した例とは逆に、コンテナボックス１０に対してこれを支持するようにコンテナボックス１０と組み合わされた補助具１２の例が示されている。
【００４４】
この例において、補助具１２の板状体３２は、その頂面部３４からその底面部３６と反対の側に向けて突出する複数の突起５４を有する。図示の例にあっては、４つの突起５４が、コンテナボックス１０の底板１６の４つの窪み２８ｂにそれぞれ対応するように、頂面部３４の外形を規定する矩形の四隅にそれぞれ配置されている。板状体３２の各突起５４は、該板状体の頂面部３４がコンテナボックス１０の底板１６と相対する位置にあるとき、したがって板状体３２上にコンテナボックス１０を置くとき、コンテナボックス１０の各窪み２８ｂに受け入れられ、これに係合可能である。突起５４と窪み２８ｂとの相互係合により、補助具１２上にコンテナボックス１０が水平方向への移動が生じないように支持され、コンテナボックス１０は商品陳列空間を規定する。
【００４５】
さらに、図１３を参照すると、コンテナボックス１０に対してこれを支持するようにコンテナボックス１０と組み合わされた補助具１２の他の例が示されている。
【００４６】
板状体３２のスカート部５０は、板状体３２の底面部３６がコンテナボックス１０の底板１６と相対する位置にあるとき、したがって上下を逆さにされた板状体３２の底面部３６上にコンテナボックス１０が位置するとき、スカート部５０はこれが規定する空間内にコンテナボックス１０を受け入れ、コンテナボックス１０が板状体３２の底面部３６上に着座することを許す。スカート部５０が規定する前記空間は、好ましくは、スカート部５０がコンテナボックス１０に対して板状体３２の底面部３６に向けて案内作用を及ぼし得る大きさに設定される。これにより、補助具１２上にコンテナボックス１０が載置され、また、スカート部５０により水平方向への移動が生じないように規制され、コンテナボックス１０が商品陳列空間を規定する。
【００４７】
最後に、図１４を参照すると、コンテナボックス１０に対してこれを支持するようにコンテナボックス１０と組み合わされる補助具１２のさらに他の例が示されている。
【００４８】
この例にあっては、補助具１２の板状体３２が、該板状体を貫通してその頂面部３４及びその底面部３６に開口する複数のキャスタ取付用の貫通孔５６（図３及び図４参照）が設けられた４つのコーナ部すなわち前記矩形の四隅に対応する部分を有する。図示の例では、各コーナ部に４つの貫通孔５６が設けられている。各コーナ部の４つの貫通孔５６には、上下を逆さにされた板状体３２の頂面部３４にその底面部３６と反対の側に伸びるキャスタ５８を取り付けるために、４つのボルト６０がそれぞれ通され、板状体３２の底面部３６の側において各ボルト６０にナット６２が螺合されている。
【００４９】
４つのキャスタ５８により移動可能とされた板状体３２の底面部３６上に、図１３に示した例と同様にしてコンテナボックス１０を載置することができる。この例によれば、コンテナボックス１０は、キャスタ５８を介して、板状体３２と共に移動させることができる。
【符号の説明】
【００５０】
１０  コンテナボックス
１２  補助具
１４  コンテナボックスの開放頂面
１６  コンテナボックスの底板
１８、２０  コンテナボックスの第１の側板及び第２の側板
２４ａ、２６ａ  第１の側板の突起及び第２の側板の突起
２８  コンテナボックスの底板の立ち上がり縁部
２８ａ、２８ｂ  立ち上がり縁部における突起及び窪み
３２  板状体
３４、３６、３８  板状体の頂面部、底面部及び側面部
４０  凹溝
４４  仕切板
４６  溝
４８  突起
５０  スカート部
５２  肩部
５４  突起
５６  貫通孔
５８  キャスタ
【図１】
0006521615.tif 000002
【図２】
0006521615.tif 000003
【図３】
0006521615.tif 000004
【図４】
0006521615.tif 000005
【図５】
0006521615.tif 000006
【図６】
0006521615.tif 000007
【図７】
0006521615.tif 000008
【図８】
0006521615.tif 000009
【図９】
0006521615.tif 000010
【図１０】
0006521615.tif 000011
【図１１】
0006521615.tif 000012
【図１２】
0006521615.tif 000013
【図１３】
0006521615.tif 000014
【図１４】
0006521615.tif 000015